(57)【要約】【課題】複数のスピーカと複数のモニタが接続された映像音声再生装置において、視聴するモニタが変わって場合であっても、スピーカ位置の変更またはスピーカの配線の変更の手間なく、正しい音場を得る。【解決手段】映像音声再生装置１００に接続されているスピーカ１０３〜１０７の位置情報と、映像音声再生装置１００に接続されているモニタ１０１、１０２の位置情報と、リスナーが視聴したいモニタの情報とに基づき、リスナーが視聴したいモニタを正面としたとき正しい音場となるように整合された各スピーカ１０３〜１０７への音声出力情報を決定し、決定した音声出力情報に基づき各スピーカ１０３〜１０７への音声出力端子への音声出力信号を切り替える。【選択図】  図１
2007180662.tif 000002
【特許請求の範囲】
【請求項１】
複数のスピーカと複数のモニタが接続された映像音声再生装置であって、
前記複数のモニタのうち視聴するモニタを選択するモニタ選択手段と、
前記複数のモニタの位置と台数を取得するモニタ位置情報取得手段と、
前記複数のスピーカの位置と台数を取得するスピーカ位置情報取得情報手段と、
前記モニタ選択手段により選択された前記モニタと、前記モニタ位置情報取得手段により取得したモニタ位置情報と、前記スピーカ位置情報取得手段により取得したスピーカ位置情報に基づき、選択された前記モニタを正面としたときにリスナーに対する正しい音場を得るように整合された各スピーカの音声出力情報を決定する音声出力情報決定手段と、
前記音声出力情報決定手段により決定した前記音声出力情報に基づき前記各スピーカへの音声出力端子への音声出力信号を切り替える音声出力切替手段とを備えた映像音声再生装置。
【請求項２】
音声出力情報決定手段は、音声を出力すべき位置にスピーカが無い場合に前記位置に隣接するスピーカに前記音声に相当する音声出力信号を合成して出力する決定を行う請求項１記載の映像音声再生装置。  
【請求項３】
モニタ位置情報取得手段は、ユーザからの入力情報によりモニタの位置情報を取得する請求項１記載の映像音声再生装置。
【請求項４】
モニタ位置情報取得手段は、モニタと映像音声再生装置との位置関係を検出する装置から前記モニタの位置情報を取得する請求項１記載の映像音声再生装置。
【請求項５】
複数のスピーカと複数のモニタが接続された映像音声再生装置を用いた映像音声再生方法であって、
前記複数のモニタから視聴するモニタを選択するモニタ選択ステップと、
前記複数のモニタの位置と台数を取得するモニタ位置情報取得ステップと、
前記複数のスピーカの位置と台数を取得するスピーカ位置情報取得ステップと、
前記モニタ選択ステップにより選択された前記モニタと、前記モニタ位置情報取得ステップにより取得したモニタ位置情報と、前記スピーカ位置情報取得ステップにより取得したスピーカ位置情報に基づき、選択された前記モニタを正面としたときにリスナーに対する正しい音場を得るように整合された各スピーカへの音声出力情報を決定する音声出力情報決定ステップと、
前記音声出力情報決定ステップにより決定した音声出力情報に基づき各スピーカへの音声出力端子への音声出力信号を切り替える音声出力切替ステップとを含む映像音声再生方法。
【請求項６】
複数のスピーカと複数のモニタが接続された映像音声再生装置をコンピュータで制御するプログラムであって、
前記複数のモニタから視聴するモニタを選択するモニタ選択ステップと、
前記複数のモニタの位置と台数を取得するモニタ位置情報取得ステップと、
前記複数のスピーカの位置と台数を取得するスピーカ位置情報取得ステップと、
前記モニタ選択ステップにより選択された前記モニタと、前記モニタ位置情報取得ステップにより取得したモニタ位置情報と、前記スピーカ位置情報取得ステップにより取得したスピーカ位置情報に基づき、選択された前記モニタを正面としたときにリスナーに対する正しい音場を得るように整合された各スピーカへの音声出力情報を決定する音声出力情報決定ステップと、
前記音声出力情報決定ステップにより決定した音声出力情報に基づき各スピーカへの音声出力端子への音声出力信号を切り替える音声出力切替ステップとをコンピュータに実行させるプログラム。
【発明の詳細な説明】
【技術分野】
【０００１】
本発明は、映像音声再生装置、方法およびプログラムに関し、詳しくは映像音声再生装置におけるマルチチャンネルマルチスクリーン音声出力信号切替に関するものである。
【背景技術】
【０００２】
現在、音声の出力システムの構成には、ドルビーディジタルサラウンド方式やディジタルシアターシステム（DTS）方式等の音声符号化方式がホームシアターやサラウンドシステムに利用されており、DVD-VやDVD-Aなどの再生メディアでは５．１チャンネルや７．１チャンネル等のマルチチャンネルコンテンツが広く普及している。
【０００３】
上記ドルビーディジタルサラウンドの５．１チャンネル方式を例に取れば、リスナーの位置に対し前方に左右2つのステレオスピーカとセンタースピーカ、後方に左右2つのステレオスピーカ、これらに加えサブウーファースピーカにより構成されており、これらの構成によりリスナーは立体的な音響を体感できる。
【０００４】
しかし、上記の構成では、フロントやリアといったようにスピーカの配置は固定されており、スピーカの配置によって、リスナーが最適な音場を得るためには、リスナーの位置およびリスナーが視聴するモニタの位置も固定される。
【０００５】
上記リスナーに対する音場を制御する従来例として、スピーカに対するリスナーの位置や角度が変化した場合であっても、スピーカ間の距離および角度と、リスナーまでの距離と角度から、音場空間における相対位置を計算し、音場調節信号を出力することでリスナーにとって最適な音場空間を実現する方法がある（例えば、特許文献１参照）。
【特許文献１】特開２００５−５７５４５
【発明の開示】
【発明が解決しようとする課題】
【０００６】
しかしながら、従来例のように、スピーカとリスナーの相対位置に基づき音場を制御する方法では、モニタの位置までは考慮されておらず、複数のモニタに接続される構成においては、リスナーの位置・角度に関わらず、スピーカとモニタの位置に基づき音場を制御する必要がある。
【０００７】
そこで本発明は、複数のスピーカおよびモニタが接続された構成において、視聴するモニタの位置が変わった場合であっても、スピーカの位置の変更またはスピーカの配線の変更等の手間なくリスナーにとって正しい音場を得ることを目的とする。
【課題を解決するための手段】
【０００８】
上記目的を達成するために、本発明に係る映像音声再生装置は、複数のスピーカと複数のモニタが接続された映像音声再生装置であって、
複数のモニタのうち視聴するモニタを選択するモニタ選択手段と、
複数のモニタの位置と台数を取得するモニタ位置情報取得手段と、
複数のスピーカの位置と台数を取得するスピーカ位置情報取得情報手段と、
モニタ選択手段により選択されたモニタと、モニタ位置情報取得手段により取得したモニタ位置情報と、スピーカ位置情報取得手段により取得したスピーカ位置情報に基づき、選択されたモニタを正面としたときにリスナーに対する正しい音場を得るように整合された各スピーカの音声出力情報を決定する音声出力情報決定手段と、
音声出力情報決定手段により決定した音声出力情報に基づき各スピーカへの音声出力端子への音声出力信号を切り替える音声出力切替手段とを備えたものである。
【０００９】
上記構成において、音声出力情報決定手段は、音声を出力すべき位置にスピーカが無い場合に位置に隣接するスピーカに音声に相当する音声出力信号を合成して出力する決定を行う。  
【００１０】
上記構成において、モニタ位置情報取得手段は、ユーザからの入力情報によりモニタの位置情報を取得する。
【００１１】
上記構成において、モニタ位置情報取得手段は、モニタと映像音声再生装置との位置関係を検出する装置からモニタの位置情報を取得する。
【００１２】
本発明の映像音声再生方法は、複数のスピーカと複数のモニタが接続された映像音声再生装置を用いた映像音声再生方法であって、
複数のモニタから視聴するモニタを選択するモニタ選択ステップと、
複数のモニタの位置と台数を取得するモニタ位置情報取得ステップと、
複数のスピーカの位置と台数を取得するスピーカ位置情報取得ステップと、
モニタ選択ステップにより選択されたモニタと、モニタ位置情報取得ステップにより取得したモニタ位置情報と、スピーカ位置情報取得ステップにより取得したスピーカ位置情報に基づき、選択されたモニタを正面としたときにリスナーに対する正しい音場を得るように整合された各スピーカへの音声出力情報を決定する音声出力情報決定ステップと、
音声出力情報決定ステップにより決定した音声出力情報に基づき各スピーカへの音声出力端子への音声出力信号を切り替える音声出力切替ステップとを含むものである。
【００１３】
本発明のプログラムは、複数のスピーカと複数のモニタが接続された映像音声再生装置をコンピュータで制御するプログラムであって、
複数のモニタから視聴するモニタを選択するモニタ選択ステップと、
複数のモニタの位置と台数を取得するモニタ位置情報取得ステップと、
複数のスピーカの位置と台数を取得するスピーカ位置情報取得ステップと、
モニタ選択ステップにより選択されたモニタと、モニタ位置情報取得ステップにより取得したモニタ位置情報と、スピーカ位置情報取得ステップにより取得したスピーカ位置情報に基づき、選択されたモニタを正面としたときにリスナーに対する正しい音場を得るように整合された各スピーカへの音声出力情報を決定する音声出力情報決定ステップと、
音声出力情報決定ステップにより決定した音声出力情報に基づき各スピーカへの音声出力端子への音声出力信号を切り替える音声出力切替ステップとをコンピュータに実行させるものである。
【発明の効果】
【００１４】
本発明の映像音声再生装置、方法およびプログラムによれば、視聴するモニタを変更した場合であってもスピーカの配置変更やスピーカの配線の変更の手間なく正しい音場を得られる。
【００１５】
音声出力情報決定手段は、音声を出力すべき位置にスピーカが無い場合に隣接するスピーカに音声出力信号を合成して出力する決定を行うため、ユーザにとってより最適な音場を得ることが出来る。
【００１６】
モニタ位置情報取得手段は、ユーザからの入力情報により接続されているモニタの位置情報を取得する手段を備えたため、正確なモニタの位置情報を取得することが出来る。
【００１７】
モニタ位置情報取得手段は、モニタと映像音声再生装置との位置関係を検出する装置を用いてモニタの位置情報を取得するため、モニタの位置を変更した場合であっても、ユーザからの入力情報を必要とせず、より正確なモニタの位置情報を取得することが出来る。
【発明を実施するための最良の形態】
【００１８】
以下、本発明の第１の実施の形態の映像音声再生装置および方法に適用した実施の形態について図面を用いて説明する。
【００１９】
＜構成＞
図１は、映像音声再生装置とモニタおよびスピーカの接続構成を示す図である。図１に示されるように映像音声再生装置１００は、 ２つの映像出力装置２であるモニタ１０１と、モニタ１０２とに接続されており、また、５つの音声出力装置３であるスピーカ１０３と、スピーカ１０４と、スピーカ１０５と、スピーカ１０６と、スピーカ１０７とに接続されている。
【００２０】
ここでは、モニタの数を２台、スピーカの数を５台としているが、各々の数は固定ではない。任意のモニタ台数、任意のスピーカ台数であってもよい。
【００２１】
図２は、映像音声再生装置の機能構成を示す図である。映像音声再生装置１００は、光ディスクドライブ２０１、制御部２０２、操作部２０３、再生部２０４、出力部２０５を備える。映像音声再生装置１００は、同図に示す光ディスク１に記録されているコンテンツデータを光ディスクドライブ２０１から読み出す。
【００２２】
光ディスク１は、CD（Compact Disc)、またはDVD（Digital Versatile Disc)であり、光ディスク１には、マルチチャンネル素材の映像音声コンテンツが記録されているものとする。
【００２３】
光ディスク１から読み出されたコンテンツデータは制御部２０２に送られる。
【００２４】
操作部２０３は、GUI（Graphical User Interfase）によりユーザからの入力情報を取得する機能を有し、取得した入力情報は制御部２０２に送られる。
操作部２０３はモニタ選択手段、モニタ位置情報取得手段およびスピーカ位置情報取得手段を構成する。
【００２５】
制御部２０２は、光ディスク１からのコンテンツデータおよびユーザからの入力情報を元に再生部２０４への各種再生制御指示を行う機能を有する。すなわち制御部２０２は音声出力情報決定手段を構成している。
【００２６】
再生部２０４は、光ディスク１から読み出したコンテンツデータのデコードおよび再生や、制御部２０２からの制御情報によりポーズやミュート等の再生に関わる機能を有し再生部２０４によって再生されたデータは出力部２０５に送られる。
【００２７】
出力部２０５は、再生部２０４から送られてきた映像データをD/A変換し映像出力装置２に出力する機能を有する。また出力部２０５は音声出力切替手段を構成する。
【００２８】
また、出力部２０５は、再生部２０４から送られてきた音声データをD/A変換および音声出力の合成を行い音声出力装置３に出力する機能を有する。
【００２９】
映像出力装置２は、ＴＶまたは、プロジェクタであり、映像出力装置２は出力部２０５から送られてきた映像データを表示する機能を有する。
【００３０】
音声出力装置３は、各チャンネルスピーカであり、音声出力装置３は出力部２０５から送られてきた音声データを音声として出力する機能を有する。
【００３１】
＜動作＞
以下、映像音声再生装置１００の動作について説明する。
【００３２】
図３は、各スピーカへの整合された音声出力情報を決定する処理を説明するために用いるフローチャート図である。
【００３３】
まず、ユーザが、映像音声再生装置１００を起動する。起動した映像音声再生装置１００はコンテンツを再生するためのアプリケーションプログラム（以下、「プレイヤー」と呼ぶ）を実行する（ステップＳ１）。
【００３４】
次に、ユーザは、光ディスクドライブ２０１に光ディスク１を装着する（ステップＳ２）。
【００３５】
光ディスク１が装着された光ディスクドライブ２０１は、光ディスク１から再生制御に必要な情報を読み出し制御部２０２に伝送する（ステップＳ３）。
【００３６】
このとき制御部２０２に伝送される情報には、光ディスク１内のコンテンツのチャンネル情報が含まれる。
【００３７】
ここでは、光ディスク１内のコンテンツはＦＬチャンネル音声、ＦＲチャンネル音声、Ｃチャンネル音声、ＲＬチャンネル音声、ＲＲチャンネル音声から構成される５チャンネルコンテンツとする。
【００３８】
制御部２０２は、ユーザからの入力情報であるスピーカの位置情報（位置および台数）を取得するため、操作部２０３にＧＵＩ画面（スピーカ位置設定画面）を表示する指示を出す。
【００３９】
指示を受けた操作部２０３は、ＧＵＩ画面（スピーカ位置設定画面）を表示する。ユーザはＧＵＩ画面のハイライトを操作しスピーカの位置情報を入力する。ユーザによって入力されたスピーカの位置情報は操作部２０３から制御部２０２に通知され制御部２０２内のメモリに記憶される（ステップＳ４）。
【００４０】
また、制御部２０２は、ユーザからの入力情報であるモニタの位置情報（位置および台数）を取得するため、操作部２０３にＧＵＩ画面（モニタ位置設定画面）を表示する指示を出す。
【００４１】
指示を受けた操作部２０３は、ＧＵＩ画面（モニタ位置設定画面）を表示する。ユーザはＧＵＩ画面のハイライトを操作しモニタの位置情報を入力する。ユーザによって入力されたモニタの位置情報は操作部２０３から制御部２０２に通知され制御部２０２内のメモリに記憶される（ステップＳ５）。
【００４２】
また、制御部２０２は、ユーザが視聴するモニタ情報を取得するため、モニタの位置情報を基にＧＵＩ画面（視聴モニタ選択画面）を生成し、操作部２０３にＧＵＩ画面（視聴モニタ選択画面）を表示する指示を出す。
【００４３】
指示を受けた操作部２０３は、ＧＵＩ画面（視聴モニタ選択画面）を表示する。ユーザはＧＵＩ画面のハイライトを操作し視聴するモニタを選択する。ユーザによって入力された視聴するモニタ情報は操作部２０３から制御部２０２に通知され制御部２０２内のメモリに記憶される（ステップＳ６）。
【００４４】
ここで、ユーザから光ディスク１の再生指示が出された場合、制御部２０２は音声出力情報を決定する処理を実行する。
【００４５】
ステップ６において、選択されたモニタがモニタ１０１であった場合（ステップＳ７）、ＦＬチャンネル音声をスピーカ１０３、ＦＲチャンネル音声をスピーカ１０４、Ｃチャンネル音声をスピーカ１０５、ＲＬチャンネル音声をスピーカ１０６、ＲＲチャンネル音声をスピーカ１０７から出力することを決定する（ステップＳ８）。
【００４６】
また、ステップ６において、選択されたモニタがモニタ１０２であった場合（ステップＳ９）、ＦＬチャンネル音声をスピーカ１０７、ＦＲチャンネル音声をスピーカ１０６、ＲＬチャンネル音声をスピーカ１０４、ＲＲチャンネル音声をスピーカ１０３ から出力することを決定する（ステップＳ１０）。
【００４７】
Ｃチャンネル音声は出力すべき位置にスピーカが存在しないため、出力されない。
【００４８】
制御部２０２は決定した音声出力情報に基づき音声出力を切り替える指示を出力部２０５に出し、指示を受けた出力部２０５は各スピーカへの音声出力を切り替える（ステップＳ１１）。
【００４９】
その後、制御部２０２は再生部２０４にコンテンツを再生する指示を出し、指示を受けた再生部２０４はコンテンツのデコードを開始する。デコードされたデータは出力部２０５に伝送され、映像データは接続されたモニタに、音声データは接続された各スピーカへと出力される（ステップＳ１２）。
【００５０】
以上により、本発明の第１の実施の形態を用いることで視聴するモニタが変わった場合であっても、スピーカの配置の変更またはスピーカの配線の変更の手間なく正しい音場を得ることができる。
【００５１】
＜変形例１＞
上述の第１の実施の形態における、音声出力情報を決定する処理のステップＳ１０において、音声を出力すべき位置にスピーカが存在しない場合は音声は出力されないとしていたが、以下に説明する動作を行うように変形してもよい。
【００５２】
図４は、音声出力情報を決定する処理の変形例１を説明するために用いるフローチャート図である。
【００５３】
また、図５は、音声出力情報を決定する処理の変形例１の接続構成を示す図である。
【００５４】
光ディスク１内のコンテンツを構成する各チャンネル音声とスピーカの位置情報を比較し（ステップＳ１３）、比較した結果、音声を出力すべき位置にスピーカが存在しない場合、隣接するスピーカに音声を合成して出力する決定を行う（ステップＳ１４）。
【００５５】
例えば、図５において、モニタ１０１を正面とした場合、センターチャンネル音声を出力すべきスピーカ１０５が存在しない場合には、左右のフロントＬＲチャンネルスピーカ１０３および１０４にセンターチャンネル音声を合成して出力する。すなわち、各スピーカへのチャンネル音声出力は、スピーカ１０３がフロントＬとセンターチャンネルのチャンネル音声、スピーカ１０４がフロントＲとセンターチャンネルのチャンネル音声、スピーカ１０６がリアＬのチャンネル音声、スピーカ１０７がリアＲのチャンネル音声となる。
【００５６】
以上述べた変形例１に係る音声出力情報を決定する処理を行うことにより、ユーザにとってより最適な音場を得ることが出来る。
【００５７】
＜第２の実施の形態＞
以下、本発明の第２の実施の形態に係る映像音声再生装置について説明する。 図６は映像音声再生装置とモニタおよびスピーカの接続構成と位置検出装置を示す図である。
【００５８】
図６に示すように映像音声再生装置１００は、２つの映像出力装置であるモニタ１０１と、モニタ１０２とに接続されており、モニタ１０１およびモニタ１０２は位置情報を検知し映像音声出力装置１００に送信するモニタ位置検出装置１０８、モニタ位置検出装置１０９が付いている。
【００５９】
また映像音声再生装置１００は、５つの音声出力装置であるスピーカ１０３と、スピーカ１０４と、スピーカ１０５と、スピーカ１０６と、スピーカ１０７とに接続されており、スピーカ１０３、スピーカ１０４、スピーカ１０５、スピーカ１０６、スピーカ１０７には位置情報を検知し映像音声装置１００に送信するスピーカ位置検出装置１１０、スピーカ位置検出装置１１１、スピーカ位置検出装置１１２、スピーカ位置検出装置１１３、スピーカ位置検出装置１１４が付いている。
【００６０】
ここでは、モニタの数を２台、スピーカの数を５台としているが、各々の数は固定ではない。 任意のモニタ台数、任意のスピーカ台数であってもよい。
【００６１】
図７は映像音声再生装置の機能構成を示す図である。 同図は図１の映像音声再生装置１００に、位置検出装置４からの受信部２０６が付加されたものである。位置検出装置４は位置検出装置１０８〜１１４を代表して示している。 位置検出装置４は、無線または有線により映像音声再生装置１００と接続され、映像音声再生装置１００の位置に対するモニタの位置および台数をモニタ位置情報とし、スピーカの位置および台数をスピーカ位置情報として受信部２０６に送信する。
【００６２】
受信部２０６は、各位置検出装置１０８〜１１４から送信されてきた位置情報を受信し、制御部２０２に通知する機能を有する。受信部２０６はモニタ位置情報取得手段およびスピーカ位置情報取得手段を構成する。
【００６３】
図３のスピーカ位置情報取得処理のステップＳ４において、スピーカの位置情報をユーザからの入力情報としてＧＵＩを用いて取得していたが、以下に説明する動作に変更しても良い。
【００６４】
すなわち、ステップＳ４において、受信部２０６は、各スピーカ位置検出装置１１０〜１１４から送信されてきたスピーカ位置情報を受信し、受信したスピーカ位置情報を制御部２０２に通知する。受信部２０６から制御部２０２に通知されたスピーカ位置情報は制御部２０２内のメモリに記憶される。
【００６５】
また、図３のモニタ位置情報取得処理のステップＳ５において、モニタの位置情報をユーザからの入力情報としてＧＵＩを用いて取得していたが、以下に説明する動作に変更しても良い。
【００６６】
すなわち、ステップＳ５において、受信部２０６は、各モニタ位置検出装置１０８、１０９から送信されてきたモニタ位置情報を受信し、受信したモニタ位置情報を制御部２０２に通知する。受信部２０６から制御部２０２に通知されたモニタ位置情報は制御部２０２内のメモリに記憶される。
【００６７】
以上述べた第２の実施の形態に係るスピーカ位置取得処理およびモニタ位置取得処理を行うことにより、モニタおよびスピーカの位置を変更した場合であっても、ユーザからの入力情報を必要とせず、より正確なモニタの位置情報を取得することが出来る。
【００６８】
なお、図３の処理フローはプログラムでコンピュータにより実施することができる。
【産業上の利用可能性】
【００６９】
本発明の映像音声再生装置等は、スピーカ配置に対するモニタ位置が変化した場合でも、リスナーにとって最適な音場を得られる効果を有し、ホームシアターやサラウンドシステムにおいてTVとプロジェクターを切り替える場合等に有用である。
【図面の簡単な説明】
【００７０】
【図１】本発明の第１の実施の形態の映像音声再生装置とモニタおよびスピーカの接続構成を示す図である。
【図２】映像音声再生装置の機能構成を示すブロック図である。
【図３】各スピーカへの整合された音声出力情報を決定する処理を説明するために用いるフローチャート図である。
【図４】音声出力情報を決定する処理の第１の実施の形態の変形例１を説明するために用いるフローチャート図である。
【図５】音声出力情報を決定する処理の変形例１の接続構成を示す図である。
【図６】第２の実施の形態の映像音声再生装置とモニタおよびスピーカの接続構成と位置検出装置を示す図である。
【図７】映像音声再生装置の機能構成を示すブロック図である。
【符号の説明】
【００７１】
１      光ディスク
２      映像出力装置
３      音声出力装置
４      位置検出装置
１００  映像音声再生装置
１０１  モニタ
１０２  モニタ
１０３  スピーカ
１０４  スピーカ
１０５  スピーカ
１０６  スピーカ
１０７  スピーカ
１０８  モニタ位置検出装置
１０９  モニタ位置検出装置
１１０  スピーカ位置検出装置
１１１  スピーカ位置検出装置
１１２  スピーカ位置検出装置
１１３  スピーカ位置検出装置
１１４  スピーカ位置検出装置
２０１  光ディスクドライブ
２０２  制御部
２０３  操作部
２０４  再生部
２０５  出力部
２０６  受信部
【図１】
2007180662.tif 000003
【図２】
2007180662.tif 000004
【図３】
2007180662.tif 000005
【図４】
2007180662.tif 000006
【図５】
2007180662.tif 000007
【図６】
2007180662.tif 000008
【図７】
2007180662.tif 000009